(57)【特許請求の範囲】
【請求項１】
仮画像データを登録する仮画像登録手段と、
仮画像データより高解像度の本画像データを登録する本画像登録手段と、
スペック情報を登録する商品情報登録手段と、
商品情報検索手段と、
商品スペックおよび部品データの訂正指示を作成する訂正指示作成手段と、
指示した画像データをダウンロードする手段と、
これらの手段が共通にアクセスするデータベースであって、
前記データベースは、
商品識別子で特定される個々の商品の情報を記録する商品レコードと、商品識別子および画像識別子および画像ファイル名の各フィールドを少なくとも含み、商品レコードと画像データとのリンクを管理する画像管理レコードと、を含むものであって、
前記本画像登録手段は、
仮画像の画像識別子と本画像ファイル名の指定を受けて、該当する画像識別子を有する画像管理レコードの画像ファイル名フィールドを本画像のファイル名に差し替える処理を行うものである
ことを特徴とするカタログ制作システム。
【請求項２】
前記仮画像登録手段は、
当該商品の商品撮影仮画像データを前記データベースに登録する際に、撮影した商品の識別番号とともに、その商品と関係のある他の商品の識別番号を同時に入力可能な入力欄を含み、
前記撮影商品の識別番号と関係する他の商品の識別番号が関係付けられて前記データベースに登録されることにより、
前記商品情報検索手段は、
本画像が未登録であっても関係する商品の仮画像が登録されていれば、ある商品をキーにしてその商品と関係のある他の商品のスペックや画像を検索ができる
ことを特徴とする請求項１に記載のカタログ制作システム。
【発明の詳細な説明】
【０００１】
【発明の属する技術分野】
本発明はカタログ制作のために、メーカー担当者、カタログ制作受託業者、デザイナー、商品撮影カメラマンが共通のデータベースを利用するカタログ制作システムに関する。
【０００２】
【従来技術】
商業印刷物の１つの分野としてメーカーの総合カタログという分野がある。１つの会社（メーカー、卸商社）の製品を網羅して、販売店やユーザー用に数百頁の分厚いカタログを１年に１回程度発行する。近年ではコンピュータの普及に伴い、このようなカタログに載せる商品データをデータベース化して利用することが試みられてきた。
【０００３】
データベース化することの狙いは、紙のカタログ制作の合理化省力化を図ることである。総合カタログに掲載する商品情報はデータ項目数が大きいのと、前回のカタログで使用した画像やスペックを次回も使用することが多いので、一度データベース化しておけば以後のカタログ制作作業が大幅に省力化される可能性がある。
【０００４】
一方では、コンピュータ技術の発展による高性能化と低価格化により製版専用システムではなく、パーソナルコンピュータと事実上の標準的技術に基づいたＤＴＰを用いて、デザイン段階からすべてデジタルで処理する仕事の進め方が浸透してきた。デザイン・製版工程をすべてデジタルデータで行うＤＴＰは本来的にデータベースに相性がよい組み合わせである。
【発明が解決しようとする課題】
【０００５】
しかしながら、データベース化とＤＴＰを用いることにより、カタログ制作をデジタル化し、現実的に運用させるには幾つか考慮すべき問題・解決しなければならない問題があった。第１は従来と同様に円滑に共同作業ができるかどうかの問題である。通常カタログ制作は、メーカー、製版印刷会社などのカタログ制作受託業者およびデザイナー、商品撮影カメラマンなどの多くの関係者の協力の下に行われ、それぞれのメンバーが、技術と知識を活かして制作に当たっている。カタログ制作をデジタル化してもこれらのメンバーの技術や知識が共同作業として発揮できるシステムの方が受け入れやすく好ましい。
【０００６】
また第２の問題は、新製品情報を如何に扱うかである。カタログ制作は毎回新製品の情報を取り入れる必要があるが、新製品情報がフィックスされてメーカーから流れてくるのは遅くなることが多い。そこで従来は、新製品情報はデータベース化しないで制作し、カタログができてから落ち着いてデータベースに登録するという運用も工夫されてきた。しかしながらこの運用では、データベース化したメリットが十分活かせない。
【０００７】
特に新製品の画像データは最初からデータベースに登録することが困難な事情があった。カラー画像データが登録されるまでには、新製品の撮影→カラー原稿のスキャナ分解→色校作成→メーカーの了承→画像データの登録  の工程を経なければならず、しかもカタログに掲載される画像は高い品質が要求されるということもあり、新製品の画像データがデータベースに登録するまでは時間がかかるのが普通であった。
【０００８】
本発明はこれらの点を考慮して考案されたものであり、第１に、完全なデジタル進行で、メーカー、カタログ制作受託業者およびデザイナー、商品撮影カメラマンの間でカタログ制作が関係者の技術・知識を活かしながら円滑に分担して行われる仕組みを提示すること、第２に、新製品情報を含めて完全なデジタル進行でカタログ制作を進めるための仕組みを提示することを課題とする。
【０００９】
【課題を解決するための手段】
上記課題を解決するために、本発明によるカタログ制作システムは、
仮画像データを登録する仮画像登録手段と、
仮画像データより高解像度の本画像データを登録する本画像登録手段と、
スペック情報を登録する商品情報登録手段と、
商品情報検索手段と、
商品スペックおよび部品データの訂正指示を作成する訂正指示作成手段と、
指示した画像データをダウンロードする手段と、
これらの手段が共通にアクセスするデータベースであって、
前記データベースは、
商品識別子で特定される個々の商品の情報を記録する商品レコードと、商品識別子および画像識別子および画像ファイル名の各フィールドを少なくとも含み、商品レコードと画像データとのリンクを管理する画像管理レコードと、を含むものであって、
前記本画像登録手段は、
仮画像の画像識別子と本画像ファイル名の指定を受けて、該当する画像識別子を有する画像管理レコードの画像ファイル名フィールドを本画像のファイル名に差し替える処理を行うものである
ことを要旨とする。
【００１０】
メーカー担当者の指示書に基づいて、商品撮影カメラマンは仮画像登録手段を用いてデザイン用仮画像を登録し、同じく指示書に基づいて、カタログ制作受託業者は、商品情報登録手段および本画像登録手段により、商品スペックと、印刷製版用本画像データ、マーク・図形データを登録する。メーカー担当者は、商品情報検索手段を用いて、商品情報が指示通りに登録されたかどうか確認し、必要があれば訂正指示作成手段により訂正指示を作成する。カタログ制作受託業者は、訂正指示に従いデータベース内容の訂正を行う。デザイナーはダウンロード手段により、頁デザインに必要な部品データを得て、頁デザインを行う。このように上記各手段とそれらが共通にアクセスするデータベースにより、カタログ制作がほぼ従来通りの関係者の連携作業で進めることができる。
【００１１】
さらに前記仮画像登録手段は、
当該商品の商品撮影仮画像データを前記データベースに登録する際に、撮影した商品の識別番号とともに、その商品と関係のある他の商品の識別番号を同時に入力可能な入力欄を含み、
前記撮影商品の識別番号と関係する他の商品の識別番号が関係付けられて前記データベースに登録されることにより、
前記商品情報検索手段は、
本画像が未登録であっても関係する商品の仮画像が登録されていれば、ある商品をキーにしてその商品と関係のある他の商品のスペックや画像を検索ができる。
【００１２】
仮画像登録手段を上記のように構成することにより、仮画像データが登録されれば、本画像データが登録された商品の場合と同様に検索が可能であり、デザイナーは、商品品番や、関係の深い品番の商品からリンクをたどって、デザイン用の画像データを得ることができる。本画像データが登録されるまで待たなくても良いため、新製品情報を含めて完全なデジタル進行でカタログ制作を進めることが初めて可能となる。
【００１３】
【発明の実施の形態】
以下に本発明の実施形態を実施例に基づき詳述する。
【００１４】
図１は、本発明の実施形態に係るシステムの全体構成を表す図である。カタログ制作システム１はカタログ制作会社側３の設備とメーカー側５、撮影スタジオ側６、デザイン会社側７のそれぞれの設備からなる。１０は商品情報サーバーであり、図示しない外部記憶装置に商品データベースを格納している。１１（１１ａ、１１ｂ、・・）は商品情報クライアントであり、商品データベースに対して、主に商品情報の登録・訂正を行う。１２はネットワークアクセスサーバーであり、遠隔地にある商品情報クライアント２１（２１ａ、２１ｂ、・・）からのダイヤルアップ接続を受け付け、遠隔地にある商品情報クライアントにネットワークで通信するために必要なアドレスを割り当てる。１３は認証サーバーであり、リモートアクセスしてきたユーザーが正規の登録ユーザーであるかどうかの認証を行う。
【００１５】
メーカー側５、撮影スタジオ側６、デザイン会社側７の設備は、商品情報クライアント２１（２１ａ、２１ｂ、・・）と必要なときに商品情報クライアント２１を商品情報サーバー１０に接続するためのダイヤルアップルーターまたはターミナルアダプタ２２である。ダイヤルアップルーターまたはターミナルアダプタ２２は管理制作側３のアクセスサーバー１２と通信事業者の提供する回線交換網４で接続される。
【００１６】
尚、図１の構成において、メーカー側と他の関係者との間の接続手段をどう選ぶかは、本発明の構成において本質的な部分ではない。図１は４として通信事業者の提供する公衆回線交換網を使用した場合の適切な構成であるに過ぎない。他に４として通信事業者の提供する専用線を使用する場合、ＴＣＰ／ＩＰプロトコルのネットワークを採用する場合などが可能であり、その場合には２２と１２の機器構成をそれぞれの場合に応じて適切に選択する。
【００１７】
図２は、カタログ制作システム１の各商品情報クライアントから起動される各種機能手段を説明する図である。商品情報検索手段１６は全てのクライアントに共通に有効であり、作業者の対話型検索入力に応じて商品データベースを検索し結果を表示する。商品情報サーバー１０はデータベース管理手段１４を内蔵していて、このデータベース管理手段１４が、商品情報クライアント上の対話操作に応じて発行されるデータベース検索要求や更新要求に適切に応じて、商品データベースを管理維持する。
【００１８】
管理制作側３の商品情報クライアント１１は、商品情報サーバー１０に接続すると、データベース編集アプリケーションを起動する。此のデータベース編集アプリケーションは、作業者の対話指示入力に応じて商品情報登録手段１８、本画像登録手段２５、訂正指示検索手段１７を呼び出す。商品情報登録手段１８は商品のスペック入力を受け付けデータベースに登録する（実際にはデータベース管理手段１４にデータ更新要求を発行する）。本画像登録手段は印刷用の高解像度画像データをデータベースに登録する（実際にはデータベース管理手段１４にデータ更新要求を発行する）。訂正指示検索手段１７は商品品番や訂正指示日、訂正指示者などをキーにして訂正指示を検索し表示する。
【００１９】
メーカー側５の商品情報クライアント２１は、商品情報サーバー１０に接続すると、訂正指示作成手段１５を呼び出すことができる。訂正指示作成手段１５は、データベース内容の訂正指示を作成する。
【００２０】
撮影スタジオ側６の商品情報クライアント２１は、商品情報サーバー１０に接続すると、仮画像登録手段２４を呼び出すことができる。スタジオのカメラマンは商品撮影が終わり現像したフィルムを得るとすぐに平面スキャナ等の画像入力装置により比較的粗い解像度で仮画像データを作成し、データベースに登録することができる。この時同時に商品識別番号を指定して商品スペックとのリンクを作成するほか、関連する他の商品識別番号等も入力する。
【００２１】
デザイン会社側７の商品情報クライアント２１は、商品情報サーバー１０に接続すると、ダウンロード手段２３を呼び出すことができる。デザイナーは商品情報検索手段１６で必要な画像データ、部品データを表示させたときに、画像の下のボタンをクリックすることによりダウンロード手段２３の働きにより、当該画像データ、部品データをデザイナが設定したフォルダーにコピーさせることができる。
【００２２】
図１５は、本カタログ制作システムで共通に使用する商品データベースの構成を説明する図である。商品マスターテーブルを構成する商品レコードが最も基本的なデータ要素であり、個々の商品（品番で識別される）の静的な固定的な様々な情報、および他の部品レコードとのリンクが記述されている。商品レコードは、画像（図形）データフィールドに記述されたレコード識別番号（以下レコードＩＤ）により関係付けられた画像（図形）管理レコードを中継して、個々の部品データと関係付けられている。画像管理レコードは画像ファイル名、品番（セット写真の場合はセット番号）、バリエーション（消費電力や色が違う類似品番）を含んでおり、登録日・更新日が記述されている。図形管理レコードは図形データファイル名を含んでおり、図形データの登録日・更新日が記述されている。商品データベースは他に訂正指示を記述した訂正指示レコードを生成管理する。
【００２３】
図８は、カタログ制作システム１を使ったカタログ制作のフローを概念的に説明する図である。以下図８に沿ってカタログ制作のフローを説明する。まずメーカー担当者が企画指示書を提出する（Ｓ１０）。企画指示書は新たに制作するカタログに掲載する商品の一覧および新商品のスペック情報を含んでいる。カタログが大規模な場合は商品ジャンルや折り単位などにより複数の企画指示書に分けられることがある。制作会社では企画指示書から新商品のスペックを読み取って商品情報登録手段１８を利用して商品スペックを入力する（Ｓ１１）。撮影スタジオでは商品見本を得て、企画書の指示に従い商品撮影を行う（Ｓ１２）。企画書には当該商品についてどのような種類の写真画像（全体写真、部分アップ、組み合せ例など）を必要とするかが指定されている。撮影後すぐにデザイン用の仮画像として現像フィルムをスキャナでデジタルデータ化し、仮画像登録を行う（Ｓ１３）。このとき同時に、仮画像であっても、データベース上は本画像の場合とまったく区別なく扱われるよう必要なリンクも設定する。
【００２４】
メーカー担当者は自分の担当商品についてデータベースを検索し、商品スペックなど指示どおりにデータベースに登録されているかどうか内容をチェックする（Ｓ２０）。ここでもし訂正する必要があれば、訂正指示作成手段１５を利用して、訂正指示を作成する（Ｓ２１）。管理制作側は訂正指示を検索し（Ｓ２２）、必要に応じて商品スペックなどのデータを訂正する（Ｓ２３）。
【００２５】
デザイナーは、新商品の商品情報を検索し（Ｓ３０）、商品スペックの表示からテキスト情報をコピーし、必要に応じて画像データ、部品データをダウンロードして（Ｓ３１）、それらを用いて頁レイアウトを行う（Ｓ３２）。
【００２６】
カタログ制作会社では、先の現像フィルム（カラー原稿）を製版用高解像度スキャナで色分解し、商品画像の色校を作成してメーカー側の承認を得ておく。承認が得られた段階で、高解像度分解データを本画像としてデータベースに登録する（Ｓ３３）。本画像データが登録されると、それは仮画像データと置き換わる。仮画像データが持っていた他のデータレコードとのリンク関係は本画像データにそのまま継承される。
【００２７】
カタログ制作会社では、デザイン編集データを折り単位で編集（面付け）して、フィルム出力する（Ｓ４０）、刷版印刷（Ｓ４１）、製本（Ｓ４２）を経てカタログが完成する。
【００２８】
以下、図８に挙げた各ステップに関して重要なステップを詳細に説明する。
【００２９】
まず、商品情報検索のステップＳ２０、Ｓ３０の動作を詳述する。図８ではメーカー担当者とデザイナーの列のみに商品情報検索のステップがあるが、実際にはすべての商品情報クライアントで商品情報検索手段を利用することができる。クライアントユーザーは、商品情報サーバー１０に接続し、ユーザー名パスワードを入力する。認証されてログインが許可されると、メインメニュー画面（図示せず）に入り、ここで「品名・品番で商品を検索」を選ぶことにより定型ツリー検索の画面（図３）となる。本実施例の商品情報クライアントでは、１つのユーザー対話画面は図１２に示すように、ダイレクト検索ウインドウ、サブウインドウ、メニューウインドウ、メインウインドウの４つのフレームに仕切られて表示される。ダイレクト検索ウインドウは検索を速く行う時に使う。サブウインドウは１回前の画面が表示される。メニューウインドウはメニューが表示される。メインウインドウが本来の対話入力画面である。図３のメインウインドウには品名グループのリストが表示され、これらの品名の一つを指定することにより、更に下位の画面が表示される。図３で特定の品名をクリックすると、クライアント画面のメインウインドウはその品名の品番リストを表示する図４の画面となる。
【００３０】
図４のメインウインドウでどれかの品番のスペック表示（総合または季節）をクリックすると、図５のような、その品番の商品のスペック表示画面が現れる。図５の画面では、メインウインドウが上下二つの部分に分かれる。上部分は画像を表示するウインドウである。下部分に商品のスペック（商品の特徴、仕様を記したテキスト情報）が表示される。
【００３１】
図４において、品番リストが表示されたメインウインドウから、特定の品番の素材リンク（画像または図形）のどれかをクリックすると、対応する素材のリンク一覧画面（図６または図７）が表示される。図６は、ある品番の商品にリンクされている画像データを一覧表示している画面である。また図７は同じく、リンクされている図形データを一覧表示した画面である。
【００３２】
訂正指示作成のステップ（Ｓ２１）では次のように動作する。表示された商品のスペックに訂正したい個所がある場合は、図５のメインウインドウの下部にある訂正指示発行ボタンをクリックする。訂正指示発行は２種類有り、商品スペックの修正を、商品の属性値で指定する場合は訂正指示発行（フォーム）をクリックする。商品の属性値ではなく、文章により訂正指示する場合は訂正指示発行（一般）をクリックする。いずれの場合にも訂正指示作成フォームが表示される。
【００３３】
例えば、訂正指示発行（一般）がクリックされた場合は図１１のような訂正指示発行画面が現れる。担当者は中央のテキスト入力欄にメモ形式で訂正指示を書き込む。訂正指示発行画面で必要な訂正指示を指定・記入した後、ウインドウ下部の発行ボタンをクリックすることにより、訂正指示がデータベースに登録される。この時、１つの訂正指示記入画面に対応して訂正指示履歴テーブルの１件の訂正指示レコードが登録される。この１件のレコードは訂正対象レコード、訂正指示発行者、指示日時、および対象項目およびその項目の訂正値を含む。フォーム形式画面で発行する場合では、対象項目は必要に応じて１つ以上複数設けられる。文章形式で発行する場合は、対象項目は文章形式を意味する１種類の項目のみ作成され、訂正値にメモのテキストが設定される。
【００３４】
一方、管理制作側３において、商品情報クライアント１１が商品情報サーバー１０に接続・ログインし、データベース編集アプリケーションが起動されると、メインメニュー画面で商品情報検索を行うか訂正指示検索を行うか選択する。後者が選択されれば、訂正指示検索（Ｓ２２）のステップとなる。訂正指示検索は品名品番で行うことも可能であるし、訂正日付や訂正指示作成者から検索することも可能である。図９は訂正指示日で検索している画面を示している。メインウインドウ中には訂正指示された日付毎に、訂正指示レコードの数が、訂正指示が既に対応がなされたもの（確認の列）と未対応のもの（未対の列）別にリスト表示されている。
【００３５】
図９のメインウインドウのリストからどれかをクリックすると、図１８のような当該日付で作成された訂正指示レコード内容を一覧表示する画面となる。
制作会社の担当者は、訂正指示に従って、データベース内容を訂正する。
【００３６】
データ訂正（Ｓ２３）のステップでは、訂正指示内容から商品スペックを直す必要がある場合には、制作会社の担当者は、対象品番の編集入力フォームを表示させる。図１４に編集入力フォームの例を示す。訂正指示（一般）により訂正指示されたものに関して、マニュアル入力する場合に、この編集フォームを用いて属性値を該当する入力欄に入力する。
【００３７】
Ｓ１３の仮画像登録ステップは撮影スタジオに設置の商品情報クライアントにおいて仮画像登録手段が起動されることにより実行される。図１６（Ａ）は仮画像登録の最初の画面である。フォルダ、ファイル名はプルダウンメニューになっており、担当者はプルダウンメニューからスキャンした画像データの入っているフォルダを選ぶ。次にファイル名のプルダウンメニューを出させると、そのフォルダ中の画像ファイルが選択できるので、該当するファイルを指定する。ファイル名を指定するとその画像データをプレビュー表示する（図１６（Ｂ））。次に商品品番と写真種類を選択する。写真種類はプルダウンメニューから該当するものを選ぶ。その後で、その商品品番の仮画像データ登録が初めての場合は、関連商品品番の入力欄が表示される。ここで、色のバリエーションや消費電力の相違など、その商品と極めて関連の深い他の商品品番（バリエーション情報）を入力する（図１７）。
【００３８】
最後に画面下部の「登録」をクリックすれば仮画像データが付加情報（リンク情報）とともにデータベースに登録される。図１５に示されるように、バリエーション情報は他の商品レコードへのリンクとして働くことになる。このように、仮画像登録のステップは極めて簡単な対話型画面インターフェースとなっているので、商品撮影したカメラマンでも無理なく使用できる。なお実施例のシステムでは解像度：７２ｄｐｉ、データ形式：ＲＧＢ  ＥＰＳＦ  ＪＰＥＧ  のデータを使用している。
【００３９】
仮画像登録手段で設定したバリエーション情報は、ステップＳ３０〜Ｓ３２でデザイナーがデザイン作業を行うときに活用される。例えばデザイナはＳ３０で図１０のようなある商品ＮＮＮ３１１Ｚについてのスペック表示画面を表示させる。ここではメインウインドウの上半分に当該品番の画像（本体写真）が表示されている。下半分のフレームにスペックが表示されている。このスペック表示の最下部にバリエーションというボタンがある。これをクリックすると図１５の画像レコードのリンクをたどることにより、図１３のような表示となり、ＮＮＮ３１１Ｚのバリエーションとして、ＮＮＮ３１１、ＮＮＮ５１１、ＮＮＮ６１１が存在することがわかる。
【００４０】
次にステップＳ３１のダウンロードについて説明する。画像データのダウンロード手段２３はダウンロードしたい画像を画面上で指示してダウンロードボタンを押すことにより起動される。図１３の各写真表示の下部の□にチェックを入れて、メインウインドウ下部の出力先フォルダを設定して、その右のダウンロードボタンを押すと、クライアントはチェックされた画像のレコードＩＤ（以下画像ＩＤ）をダウンロード手段に伝える。ダウンロード手段２３は、該当する画像ＩＤに対応した画像データファイルを開き、圧縮を解除し解像度を落としたＲＧＢデータに変換することによりデザイナの使用するＤＴＰ編集ソフトが扱える画像データに変換して、指定されたフォルダに転送する。デザイナはこのようにしてダウンロードした画像データとコピーアンドペーストして得たスペックテキストを使ってカタログ紙面のデザイン編集を行う。
【００４１】
ステップＳ１１で新製品のスペックを入力する場合も図１４の編集入力画面にて、対象品番の属性値を指定することにより行われる。
【００４２】
次にステップＳ３３の本画像登録を述べる。カタログ制作会社では、商品撮影により得られたカラー原稿を、製版用高解像度スキャナでデジタル化し、ＣＭＹＫ画像データとする。これから色校正を作成してメーカーの承認を得る。カタログ用画像は高品質を要求されるため、ここで色校正を何回かやり直すことがあるため、仮画像登録から本画像登録までは一般に時間がかかる。こうしてメーカーの承認を受けたＣＭＹＫデータはようやくデータベースに登録可能となる。本画像登録手段２５は、カタログ制作会社の商品情報クライアント１１から、仮画像の画像ＩＤと本画像データのファイル名を指定して起動される。本画像登録手段２５は、その画像ＩＤの画像管理レコードの画像ファイル名フィールドを仮画像のファイル名から本画像のファイル名に差し替える。こうして仮画像登録時に形成された商品レコードとのリンクが保持されたまま、本画像の登録がなされる。
【００４３】
【発明の効果】
以上詳述したように、本実施例で示したカタログ制作システムは、商品情報データベースを共有すること、メーカー担当者は訂正指示を作成するだけで実際のデータ訂正をカタログ制作受託業者に行わせるようにできること、仮画像登録手段は極めて簡単なユーザーインターフェイスとし、カメラマンが手軽に扱えるようにしたこと、デザイナーは商品情報を検索しながら簡単な操作で画像データ等をダウンロードすることができることなどにより、メーカー、カタログ制作受託業者、デザイナー、撮影スタジオカメラマンの間で今までの技術・知識を活かしながら円滑に共同作業することができ、極めて高い実用性を発揮する。
【００４４】
また仮画像登録時に、リンク情報も登録することで本画像が正式登録される前でもデータ検索が可能であり、デザイナーはデザイン作業を先行させることができる。このことによって新製品情報も既存製品情報もデータベースから引き出せるので、カタログ制作工程が一元化され単純となる。これは結果的に関係者間でコミニケーションをとる手間やミスの発生頻度を減少させる。このように本発明に提示された構成を有するカタログ制作システムは、極めて実用性に優れた制作フローを実現できる。
【図面の簡単な説明】
【図１】本発明の実施形態にかかるカタログ制作システムの全体構成図である。
【図２】本発明の実施形態にかかるカタログ制作システムの全体構成図である。
【図３】定型ツリー検索画面（最上位層）である。
【図４】定型ツリー検索画面（品番リスト）である。
【図５】スペック表示画面である。
【図６】リンク画像表示画面である。
【図７】リンク図形表示画面である。
【図８】本発明の実施形態にかかるカタログ制作システムの全体工程フローを概念的に示した図である。
【図９】訂正指示検索画面である。
【図１０】スペック表示画面である。
【図１１】訂正指示発行（メモ形式）画面である。
【図１２】対話画面のフレーム説明図である。
【図１３】スペック表示画面においてバリエーションを表示した画面である。
【図１４】スペック編集画面である。
【図１５】データベースの構成を説明する図である。
【図１６】
【図１７】仮画像登録時の画面である。
【図１８】訂正指示検索結果を表示した画面である。
【符号の説明】
１    カタログ制作システム
３    データベース管理制作側設備
４    通信路
５    メーカー側設備
６    撮影スタジオ側設備
７    デザイン会社側設備
１０  商品情報サーバー
１１  商品情報クライアント
１２  アクセスサーバー
１３  認証サーバー
１４  データベース管理手段
１５  訂正指示作成手段
１６  商品情報検索手段
１７  訂正指示検索手段
１８  商品情報登録手段
２１  商品情報クライアント
２２  ルーターまたはターミナルアダプタ
２３  ダウンロード手段
２４  仮画像登録手段
２５  本画像登録手段
【図１】
0004268283.tif 000002
【図２】
0004268283.tif 000003
【図３】
0004268283.tif 000004
【図４】
0004268283.tif 000005
【図５】
0004268283.tif 000006
【図６】
0004268283.tif 000007
【図７】
0004268283.tif 000008
【図８】
0004268283.tif 000009
【図９】
0004268283.tif 000010
【図１０】
0004268283.tif 000011
【図１１】
0004268283.tif 000012
【図１２】
0004268283.tif 000013
【図１３】
0004268283.tif 000014
【図１４】
0004268283.tif 000015
【図１５】
0004268283.tif 000016
【図１６】
0004268283.tif 000017
【図１７】
0004268283.tif 000018
【図１８】
0004268283.tif 000019